(57)【要約】【課題】  収納棚をがたつきなくスムーズに昇降できるようにした昇降式収納装置を提供する。【解決手段】  昇降式収納装置において、収納棚２の左右下部に、奥行き方向Ｊに一対の摺動部を有するブラケット１７をそれぞれ取付けるとともに、収納空間１４の左右部に、奥行き方向Ｊに一対のガイドレール１５をそれぞれ取付けて、この各ガイドレール１５に各ブラケット１７の各摺動部１８Ａ，１８Ｂを上下摺動可能に嵌め込んで、収納棚２を昇降動させる一方、各摺動部１８Ａ，１８Ｂは、それぞれ対応するガイドレール１５に奥行き方向Ｊに押圧状態で接触させることで、各摺動部１８Ａ，１８Ｂとガイドレール１５との間のクリアランスを少なくする。【選択図】  図９
2006296575.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記収納棚の左右下部に、奥行き方向に一対の摺動部を有するブラケットをそれぞれ取付けるとともに、前記収納空間の左右部に、奥行き方向に一対のガイドレールをそれぞれ取付けて、この各ガイドレールに前記各ブラケットの各摺動部を上下摺動可能に嵌め込んで、前記収納棚を昇降動させる一方、前記各摺動部は、それぞれ対応するガイドレールに奥行き方向に押圧状態で接触していることを特徴とする昇降式収納装置。
【請求項２】
前記摺動部は、押圧部材を介してブラケットに取付けて、押圧部材とブラケットとの間に設けたばね部材で摺動部を押圧することを特徴とする請求項１記載の昇降式収納装置。
【請求項３】
前記ブラケットに収納棚の昇降用ベルトを連結するとともに、前記ブラケットに、ベルト長さを調整する調整部材を設けていることを特徴とする請求項１または２記載の昇降式収納装置。
【請求項４】
前記奥行き方向に一対のガイドレールは、ベース部材に一体形成していることを特徴とする請求項１〜３のいずれか一項に記載の昇降式収納装置。
【請求項５】
前記ブラケットに、収納棚の落下防止用係止部を設けたことを特徴とする請求項１〜４のいずれか一項に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚（水切り棚）をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【発明の開示】
【発明が解決しようとする課題】
【０００７】
本出願人の提案に係る昇降式収納装置において、収納棚をがたつきなくスムーズに昇降させたいという要望があった。
【０００８】
本発明は、前記要望に応えるためになされたもので、収納棚をがたつきなくスムーズに昇降できるようにした昇降式収納装置を提供することを課題とするものである。
【課題を解決するための手段】
【０００９】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記収納棚の左右下部に、奥行き方向に一対の摺動部を有するブラケットをそれぞれ取付けるとともに、前記収納空間の左右部に、奥行き方向に一対のガイドレールをそれぞれ取付けて、この各ガイドレールに前記各ブラケットの各摺動部を上下摺動可能に嵌め込んで、前記収納棚を昇降動させる一方、前記各摺動部は、それぞれ対応するガイドレールに奥行き方向に押圧状態で接触していることを特徴とする昇降式収納装置を提供するものである。
【００１０】
収納棚をよりスムーズに昇降させるために、前記摺動部は、押圧部材を介してブラケットに取付けて、押圧部材とブラケットとの間に設けたばね部材で摺動部を押圧する構成とすることが好ましい。
【００１１】
収納棚をよりスムーズに昇降させるために、前記ブラケットに収納棚の昇降用ベルトを連結するとともに、前記ブラケットに、ベルト長さを調整する調整部材を設けている構成とすることが好ましい。
【００１２】
ブラケットの摺動部をがたつきなく摺動させるために、前記奥行き方向に一対のガイドレールは、ベース部材に一体形成している構成とすることが好ましい。
【００１３】
安全性を向上させるために、前記ブラケットに、収納棚の落下防止用係止部を設けた構成とすることが好ましい。
【発明の効果】
【００１４】
本発明によれば、収納棚のブラケットの摺動部は、収納空間のガイドレールに押圧状態で接触しているから、摺動部とガイドレールとの間のクリアランスが少なくなるので、収納棚が昇降時にがたつきにくくなって、スムーズに昇降するようになる。
【発明を実施するための最良の形態】
【００１５】
以下、本発明を実施するための最良の形態について、図面を参照しながら詳細に説明する。
【００１６】
図１および図２はキッチン用フロアキャビネット１であって、図１は収納棚（水切り棚）２が下降位置（不使用時）Ｄの斜視図、図２は収納棚２が上昇位置（使用時）Ｕの斜視図である。前記フロアキャビネット１は、キッチンとダイニング・リビングとの間に壁面が無いオープン型の対面キッチンを想定しているが、オープン型の対面キッチンでなくても可能である。
【００１７】
前記フロアキャビネット１のカウンター１ａの右側位置にシンク３が設けられ、このシンク３の後方位置に収納棚２が配置されている。なお、シンク３の側方位置に収納棚２を配置することもできる。ここで、左右や前後の方向の表現は、キッチン側でシンク３の前に立ってダイニング・リビング側を向いた者が見た状態としている。
【００１８】
前記収納棚２は、フロアキャビネット１のカウンター１ａに形成された昇降用開口５内に配置されて、この収納棚２は、後述する昇降機構６によって、カウンター下の収納空間１４に下降させる下降位置Ｄと、カウンター上に上昇させる上昇位置Ｕとに昇降されるようになる。図２のように、前記昇降用開口５は、横長四角枠状のカバー枠８で覆われている。
【００１９】
前記収納棚２には、上下２段で食器類の水切り部２ａ，２ｂが設けられている。
【００２０】
前記収納棚２の天板カウンター４は、図１のように、下降位置Ｄでは、カバー枠８とともに昇降用開口５を覆ってフロアキャビネット１のカウンター面と僅かの隙間を隔てて対向し、カウンターの一部を構成することになるから、この天板カウンター４の上をカウンタースペース（作業スペース）として利用することができる。
【００２１】
この天板カウンター４の右側前面位置には、収納棚２を昇降操作するためのスイッチパネル７が取付けられ、このスイッチパネル７には、図３に詳細に示すように、上昇スイッチ７ａ、停止スイッチ７ｂ、下降スイッチ７ｃが設けられるとともに、点滅ランプやスピーカー等でなるトラップ給水報知・警報部７ｄ、異物挟み込み報知・警報部７ｅ、過積載報知・警報部７ｆが設けられている。
【００２２】
図８は天板カウンター４を省略した収納棚２の斜視図である。前記収納棚２は、横長長方形状の上部フレーム２Ａと下部フレーム２Ｂと、縦長長方形状の左側部フレーム２Ｃと右側部フレーム２Ｄとで横長四角枠状に溶接等で一体的に組み立てられていて、下部フレーム２Ｂの下部に水受けトレー１０（図５参照）を取付けている。
【００２３】
前記上部フレーム２Ａと下部フレーム２Ｂと左側部フレーム２Ｃと右側部フレーム２Ｄとの裏面（ダイニング・リビング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング・リビング側の光で収納棚２内を明るくすることができる。
【００２４】
前記収納棚２の上部フレーム２Ａの化粧板１２ｃの下面、つまり収納棚２の天井側に換気ファン３５が取付けられている。
【００２５】
図４〜図７に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで上面が開口した略Ｕ字状に形成されている。そして、左右の側板１４Ａ，１４Ｂと底板１４Ｃとのシンク３側の面は背板１４Ｄで閉じられているとともに、ダイニング側の面は点検用扉１４Ｅで開閉可能に閉じられている。
【００２６】
前記収納空間１４内には、収納棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００２７】
前記収納棚２の左側部フレーム２Ｃと右側部フレーム２Ｄとの下部にはブラケット１７がねじ４０（図１３参照）でそれぞれ固定され、各ブラケット１７には、前記対応するガイドレール１５に上下摺動可能に嵌り込む合成樹脂製のシュー（摺動部）１８Ａ，１８Ｂ（図１３参照）がそれぞれ取付けられている。なお、ガイドレール１５、ブラケット１７およびシュー１８Ａ，１８Ｂの具体的な構造は、後で詳細に説明する。
【００２８】
そして、前記ブラケット１７のシュー１８Ａ，１８Ｂがガイドレール１５で上下摺動するようにガイドされることにより、収納棚２がカウンター下の下降位置Ｄと、カウンター上の上昇位置Ｕとに昇降動されるようになる。
【００２９】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００３０】
前記左側のベルト２２Ａは、左の側板１４Ａの下プーリ１６Ｂと上プーリ１６Ａとに順に掛け回されて、その外端部が前記収納棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記収納棚２の右側部フレーム２Ｄのブラケット１７に係止されるようになる。なお、各ベルト２２Ａ，２２Ｂの外端部の具体的な係止構造は、後で詳細に説明する。
【００３１】
したがって、前記スイッチパネル７の上昇スイッチ７ａをプッシュ操作することで、電動モータ２０が正転すると、各ドラム２１Ａ，２１Ｂが図５において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引っ張り上げられながら、ガイドレール１５でブラケット１７のシュー１８Ａ，１８Ｂがガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらにプッシュ操作しても電動モータ２０が正転されないように制御される。
【００３２】
前記スイッチパネル７の下降スイッチ７ｃをプッシュ操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。
【００３３】
この場合、電動モータ２０を逆転させながら左右のベルト２２Ａ，２２Ｂを各ドラム２１Ａ，２１Ｂに巻き戻すようになるが、この電動モータ２０の逆転は、収納棚２が自重で急激に下降しないようにブレーキを掛けるように設定されている。なお、下降スイッチ７ｃをプッシュ操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃをプッシュ操作し続けなければ下降しないようにすれば（いわゆる２段押し）、安全性を高めることができる。
【００３４】
また、前記スイッチパネル７の停止スイッチ７ｂをプッシュ操作すると、電動モータ２０が停止して、収納棚２を上昇途中位置または下降途中位置でストップさせることができる。
【００３５】
前記収納空間１４の底板１４Ｃの上には、制御ボックス３２（図４参照）が取付けられ、この制御ボックス３２の制御回路に、前記電動モータ２０、各スイッチ７ａ〜７ｃ、各報知・警報部７ｄ〜７ｆ等が接続されている。
【００３６】
図４および図５に示すように、前記収納棚２の水受けトレー１０の底部は、中央部が下向きに窪むように形成されて、この底部の中央部には排水口１０ａが設けられている。
【００３７】
前記収納空間１４の背板１４Ｄの内壁面には、上部が開口した四角箱状水受けマス２６が取付けられ、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００３８】
前記収納空間１４の背板１４Ｄの内壁面に取付けた水受けマス２６とほぼ同じ高さ位置に、傾斜させた水受け樋３０Ａ，３０Ｂが背板１４Ｄの内壁面に水密状態で取付けられて、この水受け樋３０Ａ，３０Ｂの傾斜下側は、水受けマス２６の上部位置に連結されている。この水受け樋３０は、前記昇降用開口５の前側のほぼ真下に位置させている。
【００３９】
前記水受けトレー１０の排水口１０ａにフレキシブルな排水パイプ２５の一端２５ａが連結されるとともに、この排水パイプ２５の他端２５ｂは、前記水受け樋３０Ａの端部に連結されている。
【００４０】
図９に詳細に示すように、奥行き方向Ｊに一対のガイドレール１５は、正面視でＨ字形状のベース部材３８の両端部分に一体形成されている。前記ベース部材３８は、前記収納空間１４の左右の側板１４Ａ，１４Ｂの内面に、両端部の複数のねじ用穴３８ａを利用してねじで固定されるようになる。
【００４１】
図１０および図１１に詳細に示すように、前記ブラケット１７は、平面視で略Ω字形状に形成されて、前記収納棚２の左側部フレーム２Ｃと右側部フレーム２Ｄとの下部に、両端部の複数のねじ用穴１７ａを利用して取付け用ねじ４０（図１３参照）でそれぞれ固定されている。
【００４２】
前記シュー（摺動部）１８Ａ，１８Ｂは、上下方向に長い矩形状に形成されて、奥行き方向に一対のガイドレール１５に対して、それぞれに上下に２個が設けられて、奥側のシュー１８Ｂは、ねじ３９でブラケット１７に固定されている。
【００４３】
前記手前側のシュー１８Ａが位置するブラケット１７の裏面側には、略Ｌ字形状のがたつき調整金具（押圧部材）４１が配置されて、手前側のシュー１８Ａは、ブラケット１７の大穴１７ｂを挿通するねじ３９で、がたつき調整金具４１の平面部４１ａに固定されている。
【００４４】
前記がたつき調整金具４１には、奥行き方向Ｊの長穴４１ｃが上下方向に多段（本例では３段）で形成されて、この長穴４１ｃを挿通するねじ４２でブラケット１７に固定されている。そして、このねじ４２を緩めると、がたつき調整金具４１が長穴４１ｃでガイドされて奥行き方向Ｊに位置調整できるようになる。
【００４５】
前記ブラケット１７の側壁部１７ｃの外方から穴１７ｄを挿通する２本の押圧調整ねじ（押圧部材）４３が設けられ、この押圧調整ねじ４３は、前記がたつき調整金具４１の立上がり部４１ｂの雌ねじ部４１ｄにねじ込まれている。また、この押圧調整ねじ４３と側壁部１７ｃの間にはコイルスプリング（ばね部材）４４が縮装されている。
【００４６】
そして、がたつき調整金具４１のねじ４２を緩めると、コイルスプリング４４の付勢力で、押圧調整ねじ４３を介してがたつき調整金具４１が奥行き方向Ｊの一方側Ｋ（外方）〔図９（ｂ）参照〕に引っ張られ、これにより、シュー１８Ａ，１８Ｂがそれぞれ対応するガイドレール１５に奥行き方向Ｊの一方側Ｋ（外方）および他方側Ｌ（外方）に押圧状態で接触するようになる。このシュー１８Ａ，１８Ｂの押圧状態でねじ４２を締めてがたつき調整金具４１をブラケット１７に固定する。なお、がたつき調整金具４１をねじ４２でブラケット１７に固定しないで、コイルスプリング４４の付勢力で、シュー１８Ａ，１８Ｂがガイドレール１５に押圧状態で常に接触するようにすることもできる。
【００４７】
前記ブラケット１７の幅方向の中央部にはコ字形状の吊り金具４５がねじ４６で固定され、図１２に示すように、この吊り金具４５の上部スリット４５ａから前記各ベルト２２Ａ（２２Ｂ）のループ状外端部２２ａが吊り金具４５内に挿通されるようになる。
【００４８】
前記吊り金具４５内には、位置調整金具４７が配置され、この位置調整金具４７の雌ねじ穴４７ａに、吊り金具４５の下部穴４５ｂから上部穴４５ｃに挿通する傾き調整ねじ（調整部材）４８がねじ込まれている。この位置調整金具４７に形成されたスリット４７ｂに前記各ベルト２２Ａ（２２Ｂ）のループ状外端部２２ａが挿通された状態で、ループ状端部２２ａに抜け止め軸４９が挿入されている。なお、傾き調整ねじ４８の上端部には抜け止め用プッシュナット５０が嵌め込まれている。
【００４９】
そして、図１２において、傾き調整ねじ４８を右方向に回すと、位置調整金具４７が下動して、ベルト２２Ａ（２２Ｂ）が下方に縮められて（ベルト長さが短くなる。）、収納棚２が上がるようになる。また、傾き調整ねじ４８を左方向に回すと、位置調整金具４７が上動して、ベルト２２Ａ（２２Ｂ）が上方に緩められて（ベルト長さが長くなる。）、収納棚２が下がるようになる。すなわち、前記収納棚２の左側部フレーム２Ｃと右側部フレーム２Ｄのブラケット１７の各傾き調整ねじ４８を回してベルト２２Ａ，２２Ｂの長さを調整することで、収納棚２の傾きを調整できるようになる。
【００５０】
図１３に示すように、前記ブラケット１７の上端部には、前記収納棚２の左側部フレーム２Ｃと右側部フレーム２Ｄとにねじ止めした突起５１が当接可能な落下防止用係止部１７ｅが形成されている。
【００５１】
前記収納棚２の例えば右側部フレーム２Ｄのブラケット１７には、可変抵抗器（ボリューム）５５が取付けられ、前記収納空間１４の右側板１４Ｂの内面には、図４に示すように、前記ガイドレール１５に対して下側を外向きに傾斜させた位置検知用レール５６が取付けられ、この位置検知用レール５６のレール溝に前記可変抵抗器５５の操作軸部５５ａを係合させている。そして、収納棚１２の昇降位置に応じて、位置検知用レール５６に沿って可変抵抗器５５の操作軸部５５ａが左右方向（奥行き方向Ｊ）移動されることで、可変抵抗器５５の出力電圧の変化から収納棚２の昇降位置等を検出できるようになる。
【００５２】
上記のようなフロアキャビネット１であれば、フロアキャビネット１のカウンターに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００５３】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００５４】
一方、前記収納棚２のブラケット１７のシュー１８Ａ，１８Ｂは、ガイドレール１５に押圧状態で接触しているから、シュー１８Ａ，１８Ｂとガイドレール１５との間のクリアランスが少なくなるので、収納棚２が昇降時にがたつきにくくなって、スムーズに昇降するようになる。
【００５５】
特に、シュー１８Ａ，１８Ｂをコイルスプリング４４の付勢力で、ガイドレール１５に押圧することにより、シュー１８Ａ，１８Ｂがガイドレール１５にクリアランス無く接触するから、収納棚２がよりスムーズに昇降するようになる。
【００５６】
さらに、収納棚２の昇降用のベルト２２Ａ，２２Ｂのベルト長さを傾き調整ねじ４８の回し操作で調整できるから、収納棚２の傾きを微調整できるので、収納棚２がよりスムーズに昇降するようになる。
【００５７】
また、奥行き方向に一対のガイドレール１５をベース部材３８に一体形成することにより、このガイドレール１５を別体として、それぞれベース部材３８にねじ等で取付ける場合と比較して、平行精度が高くなるので、ブラケット１７のシュー１８Ａ，１８Ｂががたつきなく摺動するようになる。しかも、収納棚２からガイドレール１５に側方荷重を受けても、ガイドレール１５の強度・剛性が高いので平行精度を維持できるようになる。
【００５８】
さらに、ブラケット１７の収納棚２の取付け用ねじ４０が外れて、ブラケット１７から収納棚２が落下するおそれが生じた場合には、収納棚２の突起５１がブラケット１７の落下防止用係止部１７ｅ（図１３参照）で未然に係止されるので、安全性が向上するようになる。
【００５９】
前記実施形態は、フロアキャビネット１の昇降式収納装置として、収納棚２の１つである水切り棚を例にとったが、これに限られるものではなく、食器乾燥機または食器洗い乾燥機であっても良い。
【図面の簡単な説明】
【００６０】
【図１】本発明の実施形態を示すキッチン用フロアキャビネットであり、収納棚が下降位置の斜視図である。
【図２】図１のフロアキャビネットであり、収納棚が上昇位置の斜視図である。
【図３】スイッチパネルの正面図である。
【図４】昇降式収納装置をダイニング・リビング側から見た斜視図である。
【図５】昇降式収納装置をダイニング・リビング側から見た背面図である。
【図６】収納棚を省略した昇降式収納装置の平面図である。
【図７】昇降式収納装置の要部断面側面図である。
【図８】天板を省略した収納棚の斜視図である。
【図９】ガイドレールとベース部材であり、（ａ）は斜視図、（ｂ）はシュー等を組み付けた平面断面図、（ｃ）はガイドレールの平面断面図である。
【図１０】（ａ）はシュー側から見たブラケットの斜視図、（ｂ）は（ａ）の分解斜視図である。
【図１１】（ａ）は吊り金具側から見たブラケットの斜視図、（ｂ）は（ａ）の分解斜視図である。
【図１２】吊り金具であり、（ａ）は斜視図、（ｂ）は断面図である。
【図１３】収納棚の突起とブラケットの落下防止用係止部との関係を示す斜視図である。
【符号の説明】
【００６１】
１      キッチン用フロアキャビネット
１ａ    カウンター
２      収納棚
５      昇降用開口
６      昇降機構
１４    収納空間
１５    ガイドレール
１７    ブラケット
１７ｅ  落下防止用係止部
１８Ａ，１８Ｂ  シュー（摺動部）
２２Ａ，２２Ｂ  昇降用ベルト
３８    ベース部材
４３    押圧調整ねじ（押圧部材）
４４    コイルスプリング（ばね部材）
４７    位置調整金具
４８    傾き調整ねじ（調整部材）
５１    突起
Ｊ      奥行き方向
【図１】
2006296575.tif 000003
【図２】
2006296575.tif 000004
【図３】
2006296575.tif 000005
【図４】
2006296575.tif 000006
【図５】
2006296575.tif 000007
【図６】
2006296575.tif 000008
【図７】
2006296575.tif 000009
【図８】
2006296575.tif 000010
【図９】
2006296575.tif 000011
【図１０】
2006296575.tif 000012
【図１１】
2006296575.tif 000013
【図１２】
2006296575.tif 000014
【図１３】
2006296575.tif 000015